(57)【要約】【課題】従来のストリップライン共振器では、十分なＱ値が得られていなかった。【解決手段】グランド電極１１と、誘電体シート１２を挟んでこのグランド電極１１と対向するストリップライン電極１３とを備え、ストリップライン電極１３のグランド電極１１と対向する面はほぼ平面であり、ストリップライン電極１３のグランド電極１１とは反対側の面は周囲がなだらかな形状にしたもので、これによりストリップライン共振器のＱ値を向上させることができる。【選択図】図１
2010098412.tif 000002
【特許請求の範囲】
【請求項１】
グランド電極と、誘電体シートを挟んでこのグランド電極と対向するストリップライン電極とを備え、前記ストリップライン電極の前記グランド電極と対向する面はほぼ平面であり、前記ストリップライン電極の前記グランド電極とは反対側の面は周囲がなだらかな形状になっているストリップライン共振器。
【請求項２】
ストリップライン電極の中に誘電体層が設けられ、前記誘電体層は前記ストリップライン電極の材料で完全に覆われている請求項１記載のストリップライン共振器。
【請求項３】
誘電体シートにグランド電極となる電極を形成する工程と、誘電体シートを挟んで前記グランド電極と対向するストリップ電極下部を形成する工程と、前記ストリップ電極下部の上に誘電体層を印刷する工程と、前記誘電体層および前記ストリップ電極下部の上にストリップ電極上部を形成する工程とを備えたストリップライン共振器の製造方法。
【発明の詳細な説明】
【技術分野】
【０００１】
本発明は通信機器等に使用されるストリップライン共振器およびその製造方法に関するものである。
【背景技術】
【０００２】
ストリップライン共振器を用いてフィルタを構成する場合、低損失化が重要なファクターとなるが、これを達成するためにはストリップライン共振器のＱ値を向上させることが不可欠となる。ストリップライン共振器のＱ値を劣化させる要因の一つに電極の抵抗がある。直流的な抵抗は、電極の厚さを厚くすると下げることができるが、ストリップライン共振器として使われるような高周波領域では表皮効果による影響が大きくなるため、電極を厚くしても改善することができなくなる。これに対して、従来のストリップライン共振器では図２のように、グランド電極１に対し誘電体シート２を挟んで平行に設けたストリップライン電極３ａに対して、異なる平面にさらにストリップライン電極３ｂを設け、これらを相互にビア４で接続することにより表皮効果による影響を低減することが行なわれている。
【０００３】
なお、この出願の発明に関連する先行技術文献情報としては、例えば特許文献１が知られている。
【特許文献１】特開平１１−２３４００６号公報
【発明の開示】
【発明が解決しようとする課題】
【０００４】
しかしながら、ビア接続により電流が電極の尖っている部分に集中しやすく、このために十分にＱ値を改善することができていなかった。これに対し本発明は、さらにＱ値を改善することを目的とする。
【課題を解決するための手段】
【０００５】
上記課題を解決するために本発明は、グランド電極と、誘電体シートを挟んでこのグランド電極と対向するストリップライン電極とを備え、ストリップライン電極のグランド電極と対向する面はほぼ平面であり、ストリップライン電極のグランド電極とは反対側の面は周囲がなだらかな形状になるようにしたものであり、このようにすることによりストリップライン共振器が使用される高周波領域においても、電極の抵抗値が大きくなることを防ぎ、ストリップライン共振器のＱ値をさらに良くすることができる。
【発明の効果】
【０００６】
本発明によると、ストリップライン電極の実効的な抵抗値を下げ、ストリップライン共振器のＱ値を向上させることができる。
【発明を実施するための最良の形態】
【０００７】
（実施の形態１）
以下、本発明の一実施の形態におけるストリップライン共振器について、図面を参照しながら説明する。
【０００８】
図１は本発明の一実施の形態におけるストリップライン共振器の断面図である。図１において、誘電体シート１２を挟んでグランド電極１１とストリップライン電極１３が対向している。誘電体シート１２は、セラミック粉末にガラスをまぜ、低温で焼結するようにした低温焼結セラミック材からなり、グランド電極１１およびストリップライン電極１３には銀を用いている。
【０００９】
ここでストリップライン電極１３のグランド電極１１と対向している面は、グランド電極１１に対してほぼ平行であり、ほぼ平坦になっている。ここでほぼ平行、ほぼ平坦とは、セラミックシート材を積層して焼結してできる程度をいう。ストリップライン共振器では、分布定数型になり、グランド電極１１とストリップライン電極１３との間の静電容量は場所によって変動しないのが望ましいため、ストリップライン電極１３のグランド電極１１と対向している面をほぼ平面としている。
【００１０】
一方ストリップライン電極１３のグランド電極１１とは反対側の面は、静電容量を作らないため、平面である必要はない。そこでこの面を周囲がなだらかな形状にすることにより、表面積を増やすとともに、角をなくし、電流の集中による損失を低減させ、ストリップライン共振器としてのＱ値を向上させることができるものである。
【００１１】
さらに、ストリップライン電極１３はその中に誘電体層が設けられ、この誘電体層はストリップライン電極の材料で完全に覆われているようにすることが望ましい。このようにすることによりストリップライン電極１３の表面積を増やすことができ、表皮効果による抵抗の増大を防ぐことができ、さらにストリップライン共振器としてのＱ値を向上させることができる。
【００１２】
次にその製造方法について説明する。まず通常の方法で、誘電体シート１２を挟んでグランド電極１１とストリップライン電極下部１３ａを形成する。次にストリップライン電極下部１３ａの上に、スクリーン印刷を用いて誘電体層１４を印刷する。ここで誘電体層１４には、粘度が３５０Ｐａ・ｓより低いガラスペーストを用い、この印刷する範囲をストリップライン電極下部１３ａの内側とする。
【００１３】
そのあと所定の温度で誘電体層１４を仮硬化させる。このようにしてストリップライン電極下部１３ａの上に周囲がなだらかな形状をした誘電体層１４を形成することが出来る。
【００１４】
次に誘電体層１４およびストリップ電極下部１３ａの上にストリップ電極上部１３ｂを形成する。このようにすることにより、ストリップ電極上部１３ｂの形状は誘電体層１４の上面とほぼ同じ形状となり、周囲がなだらかな形状となる。
【００１５】
以上のようにしてストリップライン電極１３は、誘電体層１４を完全に囲い、ストリップライン電極１３のグランド電極１１と対向する面はほぼ平面であり、グランド電極１１とは反対側の面は周囲がなだらかな形状とすることができる。
【産業上の利用可能性】
【００１６】
本発明のストリップライン共振器は、ストリップライン電極の実効的な抵抗値を下げ、ストリップライン共振器のＱ値を向上させることができ、フィルタ等の高周波デバイスに広く適用することができる。
【図面の簡単な説明】
【００１７】
【図１】本発明の実施の形態１におけるストリップライン共振器の断面図
【図２】従来のストリップライン共振器の断面図
【符号の説明】
【００１８】
１１  グランド電極
１２  誘電体シート
１３  ストリップライン電極
１３ａ  ストリップ電極下部
１３ｂ  ストリップ電極上部
１４  誘電体層
【図１】
2010098412.tif 000003
【図２】
2010098412.tif 000004